(57)【要約】【課題】複数の針を有する石膏ボード用画鋲において、針をさし込んだら抜けない機能と、道具を用いず片手で作業できる機能を持ち、通常の１本針の画鋲よりも耐加重性が高く、斜め針が本体に一体化されたおり安全性の高い石膏ボード用画鋲を同時に実現する。【解決手段】本発明である石膏ボード用画鋲は、壁面に対して垂直にさし込む針（垂直針）を有する台座と、壁面に対して斜めにさし込む針（傾斜針）を有する台座の２つの台座を可動状態で連結させる。前方の台座の垂直針で壁をさし込んだ後、前方の台座の内部を貫通する後方台座の傾斜針を壁にさし込むことにより、前方の台座から壁に向けて２種類の方向から針がさし込む状態を実現する。【選択図】図１
2010162775.tif 000002
【特許請求の範囲】
【請求項１】
基礎台座と可動台座で構成される画鋲であって、
前記基礎台座は正面に壁面へ当接する壁当接面を持ち、前記壁当接面から垂直に伸びる垂直針を持ち、基礎台座背面から垂直に前記壁当接面まで貫通しかつ壁当接面に対し斜めに形成された針通路を持ち、かつ前記可動台座の可動方向を前記針通路方向と平行に制御するガイドを持っており、
前記可動台座は正面に前記基礎台座背面に当接することのできる可動台座前面を持ち、前記可動台座前面から垂直に延びる傾斜針を持ち、前記傾斜針と平行に伸びるガイド棒を持ち、前記ガイド棒の先端には前記ガイドに影響を受けて前記可動台座の可動限界を定める止め部を持ち、
前記針通路に前記傾斜針が通り、前記ガイドに前記ガイド棒が通り、前記基礎台座と前記可動台座が前記針通路の方向に往復移動することが可能であり、前記基礎台座と前記可動台座の距離が最も短い状態において前記傾斜針の先端は前記壁当接面より前方に突き出ており、前記基礎台座と前記可動台座の距離が最も長い状態において前記傾斜針の先端は前記基礎台座の内部に収納される状態で前記基礎台座と前記可動台座は繋がっており、
前記基礎台座の前記垂直針を壁にさし込んだ後、前記可動台座の前記傾斜針を可動方向にそって壁にさし込み、前記垂直針と前記傾斜針が壁内で非平行の関係であることを特徴とする石膏ボード画鋲。
【請求項２】
請求項１に記載の石膏ボード画鋲とガイド機構位置が異なる石膏ボード用画鋲であって、前記ガイドの代わりとして前記可動台座側にガイド通路を持ち、前記ガイド棒と前記止め具の代わりとして前記基礎台座側にガイド棒と止め具を持つことを特徴とする請求項１に記載の石膏ボード画鋲。
【請求項３】
フックを取り付けられる請求項１記載の石膏ボード画鋲であって、
フックは上方に孔を持つ物品支持用であるフックであり、
基礎台座は壁当接面側に、前記孔に嵌る溝部を持ち、
前記孔に前記溝部を嵌めた状態で前記石膏ボード画鋲の針を壁にさし込むことにより、前記フックによる物品支持ができることを特徴とする請求項１または請求項２に記載の石膏ボード画鋲。
【発明の詳細な説明】
【技術分野】
【０００１】
本発明は、石膏ボード壁に対して使用するものであり、壁に針をさし込んだ際抜けにくくかつ作業の容易な画鋲に関するものである。
【背景技術】
【０００２】
従来より、石膏ボード壁にさし込んだ際に抜け難く耐加重性の高い画鋲や画鋲形状の支持具は多数見受けられる。針が抜け難い画鋲の共通的な特徴は、一つの台座から２本以上の針が異なる角度で石膏ボードにさし込まれることである。
【０００３】
斜めに貫通した３つの穴が設けられている画鋲台座の各穴へ３本の針を挿入して壁にさし込むタイプの石膏ボード用画鋲がある（例えば非特許文献１参照）。また、斜めに貫通した複数の穴が設けられている台座の各穴に針を挿入して壁にさし込んで台座を固定した後、台座に嵌る支持具を取り付けて、重量物を吊下げられる石膏ボード用物品固定具がある（例えば非特許文献２参照）。また、吊下げるフックを、斜めに貫通した複数の穴が設けられている台座にて壁と挟み、該台座の穴に針を挿入して壁にさし込んで台座とフックを固定する物品支持具がある（例えば非特許文献３参照）。
【先行技術文献】
【非特許文献】
【０００４】
【非特許文献１】実登第３００２２５１号
【非特許文献２】実開昭６２−７８１８１
【非特許文献３】実開昭６３−１０９７９
【発明の概要】
【発明が解決しようとする課題】
【０００５】
石膏ボードは画鋲の針を一度さし込んでしまうと、ボードを構成している石膏が次第に崩れていき、針の保持能力が低下してしまい、抜けが発生しやすい。上記のように複数の方向から針を挿入することにより抜けを抑止することは可能であるが、現有の画鋲においては台座部と斜めにさし込む針がそれぞれ独立しているために種々の使いにくさが発生している。
【０００６】
作業面でいうと、台座に設けられた穴に対して独立した複数の針をさし込まなくてはならないという煩雑さがある。石膏ボードに対し斜めに針をさし込むということは、石膏ボート壁内を貫通する軌道が壁面に対し垂直に貫通する軌道よりも長くなるために、壁面に垂直にさし込むより大きな力が必要となる。また斜めにさし込む針は垂直にさし込む針の台座に収納するため針の頭部は小さく構成されており、結果指で斜めの針をさし込むことは難しく、針を金槌で打ち付けて壁内にさし込むなどの別の道具が必要となる。針の頭部をやや大きくして指先で挿入可能としているものもあるが前述のとおり大きな力が必要となるため指の力で石膏ボードにさし込めず、結局金槌などで打ち付けてさし込んでいるのが現状である。
【０００７】
安全面でいえば、針が台座と独立していることから針の紛失や作業ミスに伴う刺傷など怪我に対して常に留意しなくてはならない。結果、子供の使用は極めて難しく、大人であっても必要なときにすぐに使用する道具としての位置づけは難しい。
【０００８】
これらのことから抜けないという機能はありながらも安全でかつ使いたいときに簡単にかつすぐに使えるという作業を実現できている画鋲が存在しない。
【０００９】
本発明は、このような問題点に着目して案出されたものであり、その目的は針をさし込んだら抜けないという機能を有しつつ、耐加重性、台座と複数の方向にさし込む針が一体化することにより安全性、作業の容易性を提供することにある。
【課題を解決するための手段】
【００１０】
本発明である石膏ボード用画鋲は、壁面に対して垂直にさし込む針（以下、垂直針という）を有する台座と、壁面に対して斜めにさし込む針（以下、傾斜針という）を有する台座の２つの台座より構成されている。前者の台座には後者の台座の傾斜針が貫通する穴が設けられている。
【００１１】
２つの台座は垂直針を有する台座にある傾斜針用の穴に傾斜針を挿入した状態でガイド棒によって可動可能な状態で連結されている。
【００１２】
２つの台座間隔を最も広げた際に傾斜針は垂直針を有する台座内部に収納された状態となり、２つの台座間隔を最も狭めた際に傾斜針は垂直針を有する台座の壁当接面から概ね垂直針の長さ程突出する。
【００１３】
作業方法は、垂直針を有する台座を壁面へ垂直にさし込んだのち、後方にある傾斜針を有する台座を壁面に対してガイドにそって斜めにさし込むという方法である。
【発明の効果】
【００１４】
本発明は垂直針を持つ台座と傾斜針を持つ台座が可動状態で連結し、複数方向から壁に針をさし込むことからさし込んだ針が抜けず耐加重性を持ちつつ、課題であった傾斜針をさし込むという作業について道具を使わず指先で可能という作業性、更に傾斜針が本体として一体化しているために針の紛失や作業の際に誤って身体の一部を針で突くといった事故がおこりにくいという安全性を実現する。
【図面の簡単な説明】
【００１５】
【図１】本発明の斜視図
【図２】本発明の分解斜視図
【図３】本発明の使用状態を表す壁の正面図
【図４】Ａ−Ａ’線の断面側面図
【図５】図１とガイド方法の異なる本発明の斜視図
【図６】図２とガイド方法の異なる本発明の分解斜視図
【図７】図３とガイド方法の異なる本発明の使用状態を表す壁の正面図
【図８】図４とガイド方法の異なるＢ−Ｂ’線の断面側面図
【図９】フックを付加した本発明の斜視図
【図１０】フックを付加した本発明の断面側面図
【図１１】傾斜針を増やした本発明の使用状態を表す断面側面図
【発明を実施するための形態】
【００１６】
（基礎台座）
図１・図２に図示のとおり、本発明である石膏ボード用画鋲９０は基礎台座１ａと可動台座２０ａで構成されている。基礎台座１ａには壁当接面２ａへ垂直となる垂直針１０が埋設されている。針通路４ａは基礎台座背面６ａから垂直に壁当接面２ａまで貫通した穴で傾斜針１１が挿入できる径を有しており、壁当接面２ａに対し斜めに形成されている。即ち壁当接面２ａと基礎台座背面６ａは非平行の関係にある。
【００１７】
また基礎台座１ａの下方には、後述する可動台座２０ａが可動可能な状態で連結すべくガイド３０が設けられている。物品を紐で吊下げる支持具として石膏ボード用画鋲９０を使用する際に便利なように、基礎台座１ａの上方には、紐を引っ掛けやすくするための溝部３ａを設けている。
【００１８】
（可動台座）
図１・図２に図示のとおり、可動台座２０ａには可動台座前面２１ａに対し垂直となる傾斜針１１が埋設されている。可動台座２０ａの下方には、ガイド３０に嵌るべくガイド棒３２ａを有する。ガイド棒３２ａと傾斜針１１は平行の関係にある。また、ガイド棒３２ａの先端にはガイド３０に嵌めたガイド棒３２ａが外れないよう止め部３１ａを有している。
【００１９】
（連結状態）
図１・図２に図示のとおり、石膏ボード用画鋲９０を構成する基礎台座１ａと可動台座２０ａは傾斜針１１とガイド棒３２ａとそれらに対応する通路、および止め部３１ａにて相互に可動可能な状態で連結される。傾斜針１１を針通路４ａに挿入しかつガイド棒３２ａをガイド３０に挿入することで両台座が安定性をもって一定方向に可動状態となり、ガイド棒３２ａの先端にある止め部３１ａにて基礎台座１ａと可動台座２０ａが外れることなく連結状態を保っている。
【００２０】
（ストローク：引き止まり）
図１に図示のとおり、可動台座２０ａを後方に引くと、止め部３１ａの後端がガイド３０の前端に抑制されて止まる（図１の想像線で表した状態）。この状態が引き止まりという。引き止まりでは傾斜針１１の先端は基礎台座１ａの内部に位置している（図４(Ａ)参照）。
【００２１】
（ストローク：押し止まり）
可動台座２０ａを前方に押すと、可動台座前面２１ａが基礎台座背面６ａに接して止まる（図１の実線で表した部分）。この状態を押し止まりという。押し止まりの際、傾斜針１１の先端は壁当接面２ａより前に出てくる。壁当接面２ａより出てくる傾斜針１１の長さは垂直針１０と同程度の長さが望ましい。押し止まりにおいて、止め部３１ａの先端が壁当接面２ａの延長面より前に出てこないが、これは押し止まりになる以前に止め部３１ａが壁４０に当たって傾斜針１１の動きを抑制しないためである（図４（Ｂ）参照）。
【００２２】
（作業工程１）
図３は石膏ボード用画鋲９０を使用している壁４０の正面図であり、石膏ボード用画鋲９０の背面と底面が表れた図である。図４は、Ａ−Ａ’間の断面図であり石膏ボード用画鋲９０の右側面が表れた図であり、左のＡ図は壁４０に垂直針１０をさし込んだ状態を表し、右のＢ図は更に傾斜針１１をさし込んだ状態を表す。図３・図４に図示のとおり、略引き止まりの状態（傾斜針１１の先端が基礎台座１ａ内部に位置する状態）で基礎台座１ａを持ち、壁当接面２ａが壁４０に接するまで垂直針１０をさし込む（図４のＡ図）。次に可動台座２０ａを持ち、可動台座２０ａをガイド棒３２ａならびに傾斜針１１の伸びる方向に押し止まりまで押すと、傾斜針１１は壁４０に対しで斜めにさし込まれる（図４のＢ図）。押し止まりの際、止め部３１ａは壁４０に達することはない。
【００２３】
（作業工程２）
石膏ボード用画鋲９０を壁４０から抜く場合は、可動台座２０ａを指で挟んで傾斜針１１と平行後方へ引っ張ると、傾斜針１１、垂直針１０の順に抜ける。
【００２４】
（原理要約）
本発明の基本原理は、基礎台座１ａの前面にある垂直針１０を壁４０に垂直にさし込み、基礎台座１ａのガイドで可動方向と可動範囲を制御された可動台座２０ａをガイド３０の案内に従って押すことにより、基礎台座１ａ内部を貫通した傾斜針１１が壁４０に対して斜めにさし込まれ、２本の針が非平行的に壁４０にさし込まれることにより１つの基礎台座１ａより異なる２方向の針が壁４０にさし込まれることになり、それぞれの針がそれぞれの針の抜けを抑制して、抜けない画鋲になることにある。本発明は針が抜けないという機能と同時に、２本の針で支える耐加重性、道具不要で片手で作業できる高い作業性、壁面に対して斜めにさし込む針の紛失が起きず針先を基礎台座１ａに収めるという高い安全性を実現する。
【００２５】
（異なるガイド位置）
前述の基本原理に沿えば、ガイドの位置を変えても同じ針抜け抑制機能、耐加重性、作業性、安全性を実現することができる。前述の図１〜図４にて説明した石膏ボード用画鋲９０は傾斜針１１を案内するためのガイドを基礎台座１ａ側に、ガイドに通すガイド棒３２ａを可動台座２０ａ側に設けている。図５〜図８では該傾斜針１１を案内するためのガイドを可動台座側に、ガイドに通すガイド棒を基礎台座側に設けたものである。両者で針抜け抑制機能、耐加重性・作業性・安全性に差異はないが、石膏ボード用画鋲本体の製造工程、サイズ、意匠的な違いが発生する。
【００２６】
（基礎台座）
図５〜図８を用い、上記傾斜針１１を案内するためのガイドを可動台座側に設けてガイドに通すガイド棒を基礎台座側に設けた場合の石膏ボード用画鋲９１を以下に説明する。基本原理はほぼ同一であるため差異部分を中心に記載する。
図５・図６に図示のとおり、基礎台座１ｂには壁当接面２ｂに垂直となる垂直針１０が埋設されている。針通路４ｂは基礎台座背面６ｂから垂直に壁当接面２ｂまで貫通した穴で傾斜針１１が挿入できる径を有しており、壁当接面２ｂに対し斜めに形成されている。即ち、壁当接面２ｂと基礎台座背面６ｂは非平行の関係にある。
【００２７】
また基礎台座１ｂにはガイド棒３２ｂが基礎台座背面６ｂから針通路４ｂと平行に延びるように設けられ、ガイド棒３２ｂの後端には後述する可動台座２０ｂの可動領域を制御するための止め部３１ｂを設けている。物品を紐で吊下げる支持具として石膏ボード用画鋲９１を使用する際に便利なように、基礎台座１ｂの上方には、紐を引っ掛けやすくするための溝部３ｂを設けている。
【００２８】
（可動台座）
図５・図６に図示のとおり、可動台座２０ｂには可動台座前面２１ｂに対し垂直となるよう傾斜針１１が埋設されている。可動台座２０ｂにはガイド棒３２ｂを通して可動台座２０ｂが前後に移動できるようガイド通路３４が設けられている。
【００２９】
（連結状態）
図５・図６に図示のとおり、石膏ボード用画鋲９１を構成する基礎台座１ｂと可動台座２０ｂは傾斜針１１とガイド棒３２ｂとそれらに対応する通路および止め部３１ｂにて相互に可動可能な状態で連結される。傾斜針１１を針通路４ｂに挿入しかつガイド棒３２ｂをガイド通路３４に挿入することで両台座が安定性をもって一定方向に可動状態となり、ガイド棒３２ｂの先端にある止め部３１ｂにて基礎台座１ｂと可動台座２０ｂが外れることなく連結状態を保っている。
【００３０】
（ストローク：引き止まり）
図５に図示のとおり、可動台座２０ｂを後方に引くと、可動台座背面２２が止め部３１ｂの前部に抑制されて止まる（図５の想像線で表した状態）。この状態が引き止まりという。引き止まりでは傾斜針１１の先端は基礎台座１ｂの内部に位置している（図８参照）。
【００３１】
（ストローク：押し止まり）
可動台座２０ｂを前方に押すと、可動台座前面２１ｂが基礎台座背面６ｂに接して止まる（図１の実線で表した部分）。この状態を押し止まりという。押し止まりの際、傾斜針１１の先端は壁当接面２ｂより前に出てくる。壁当接面２ｂより出てくる傾斜針１１の長さは垂直針１０と同程度の長さが望ましい。
【００３２】
（作業工程）
図７は石膏ボード用画鋲９１を使用している壁４０の正面図であり、石膏ボード用画鋲９１の背面と底面が表れた図である。図８は、Ｂ−Ｂ’間の断面図であり石膏ボード用画鋲９１の右側面が表れた図であり、左のＡ図は壁４０に垂直針１０をさし込んだ状態を表し、右のＢ図は更に傾斜針１１をさし込んだ状態を表す。図７・図８に図示のとおり、略引き止まりの状態（傾斜針１１の先端が基礎台座１ｂ内部に位置する状態）で基礎台座１ｂを持ち、壁当接面２ｂが壁４０に接するまで垂直針１０をさし込む（図４のＡ図）。次に可動台座２０ｂを持ち、可動台座２０ｂをガイド棒３２ｂならびに傾斜針１１の伸びる方向に押し止まりまで押すと、傾斜針１１は壁４０に対しで斜めにさし込まれる（図８のＢ図）。
【００３３】
（フック）
本発明である石膏ボード用画鋲は高い耐加重性を持つため、フックを取り付けて額やボードといった小物を容易に吊下げることができる。図９・図１０はフック５０を取り付けられる石膏ボード用画鋲９２の図である。図９・図１０に図示のとおり、石膏ボード用画鋲９２の基礎的な形状や動きは前述の石膏ボード用画鋲９０に同じである。基礎台座１ｃの壁当接面２ｃはフック５０の有する孔５１に嵌るよう基礎台座１ｃの前面に取付溝５を設けることにより構成されている。孔５１周辺の部材の厚さは、取付溝５の深さと略同じであることが望ましい。押し止まりの際、止め部３１ｃはフック５０や壁４０に届かない。
【００３４】
（複数針）
傾斜針を有する可動台座が異なる２つの傾斜角をもって基礎台座に連結することにより、一つの基礎台座から垂直針１本傾斜針２本が壁にさし込まれ、石膏ボード用画鋲の耐加重性を更に高めることができる。例えば図１１に図示するＡＢの作業連続図のとおり、２方向の傾斜針１１が貫通する基礎台座１ｄに２つ傾斜針１１の埋設された可動台座２０ｂをさし込むことにより垂直針１本傾斜針２本が壁にさし込まれる。同様の考え方で傾斜針を３本以上にすることも可能である。
【実施例１】
【００３５】
石膏ボード用画鋲９０について針を除く部材をすべてプラスチック（ＰＶＣ）で構成した。垂直針１０と傾斜針１１には０．８ｍｍの虫ピンを用い、押し止まりにおいて両針が壁当接面２ａより１０ｍｍ出るようにした。石膏ボード用画鋲９０の両針を壁４０にさし込み、一度抜いて再度同じ位置にさし込み基礎台座１ａを壁４０の垂直方向に牽引したところ２Ｎ（ニュートン）の力で牽引しても壁４０から抜けることがなかった。尚、通常市販される針径１．２ｍｍで針の長さが１０ｍｍの押しピン（ダルマピン）について同様の牽引を行ったところ、平均０．２Ｎの力の牽引で壁４０から抜けた。
【産業上の利用可能性】
【００３６】
本発明は、針の抜けが発生せず、耐加重性が高く、作業が片手で行えることから作業性が高く、斜め針を直接触れずにすむことから安全性の高い画鋲であることから、画鋲が抜けてはならない場合や重量物を吊下げる場合に極めて有効な道具となる。幼児の居る家庭で画鋲を使用する際は、画鋲の落下に伴う幼児の誤飲を防止することができる。また、耐加重性も高いことから、重量のある額なども従来のように金槌などの道具を使わなくとも、容易な作業で吊るすことができる。石膏ボードは丈夫で安価でかつ難燃性のため一般住宅の内壁の９０％以上に使用されていることから抜けない画鋲の市場としては極めて広いことが想定される。
【符号の説明】
【００３７】
１ａ      基礎台座
１ｂ      基礎台座
１ｃ      基礎台座
１ｄ      基礎台座
２ａ      壁当接面
２ｂ      壁当接面
２ｃ      壁当接面
３ａ      溝部
３ｂ      溝部
４ａ      針通路
４ｂ      針通路
５        取付溝
６ａ      基礎台座背面
６ｂ      基礎台座背面
１０      垂直針
１１      傾斜針
２０ａ    可動台座
２０ｂ    可動台座
２１ａ    可動台座前面
２１ｂ    可動台座前面
２２      可動台座背面
３０      ガイド
３１ａ    止め部
３１ｂ    止め部
３１ｃ    止め部
３２ａ    ガイド棒   
３２ｂ    ガイド棒
３４      ガイド通路
４０      壁
５０      フック
５１      孔
９０      石膏ボード用画鋲
９１      石膏ボード用画鋲
９２      石膏ボード用画鋲
【図１】
2010162775.tif 000003
【図２】
2010162775.tif 000004
【図３】
2010162775.tif 000005
【図４】
2010162775.tif 000006
【図５】
2010162775.tif 000007
【図６】
2010162775.tif 000008
【図７】
2010162775.tif 000009
【図８】
2010162775.tif 000010
【図９】
2010162775.tif 000011
【図１０】
2010162775.tif 000012
【図１１】
2010162775.tif 000013
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
基礎台座と可動台座で構成される画鋲であって、
前記基礎台座は正面に壁面へ当接する壁当接面を持ち、前記壁当接面から垂直に伸びる垂直針を持ち、前記基礎台座の壁当接面と背面は非平行であり、基礎台座背面から垂直に前記壁当接面まで貫通しかつ壁当接面に対し斜めに形成された針通路を持ち、かつ前記可動台座の可動方向を前記針通路方向と平行に制御し前記基礎台座と前記可動台座の双方一部位が共働するガイド部材を持っており、
前記可動台座は正面に前記基礎台座背面に当接することのできる可動台座前面を持ち、前記可動台座前面から垂直に延びる傾斜針を持ち、
前記針通路に前記傾斜針が通り、前記基礎台座と前記可動台座が前記針通路の方向に往復移動することが可能であり、前記基礎台座と前記可動台座が接する状態において前記傾斜針の先端は前記壁当接面より前方に突き出ており、
ガイド部材により前記基礎台座と前記可動台座の距離を最も引き離した状態において前記傾斜針の先端は前記基礎台座の内部に収納されるように可動領域を定められていることを特徴とする石膏ボード画鋲。
【手続補正２】
【補正対象書類名】明細書
【補正対象項目名】００２５
【補正方法】変更
【補正の内容】
【００２５】
（異なるガイド位置）
前述の基本原理に沿えば、ガイドの位置や形状を変えても同じ針抜け抑制機能、耐加重性、作業性、安全性を実現することができる。前述の図１〜図４にて説明した石膏ボード用画鋲９０は傾斜針１１を案内するためのガイドを基礎台座１ａ側に、ガイドに通すガイド棒３２ａを可動台座２０ａ側に設けている。例えば、図５〜図８では該傾斜針１１を案内するためのガイドを可動台座側に、ガイドに通すガイド棒を基礎台座側に設けたものである。両者で針抜け抑制機能、耐加重性・作業性・安全性に差異はないが、石膏ボード用画鋲本体の製造工程、サイズ、意匠的な違いが発生する。
【手続補正３】
【補正対象書類名】明細書
【補正対象項目名】００３４
【補正方法】変更
【補正の内容】
【００３４】
（複数針）
傾斜針を有する可動台座が異なる２つの傾斜角をもって基礎台座に連結することにより、一つの基礎台座から垂直針１本傾斜針２本が壁にさし込まれ、石膏ボード用画鋲の耐加重性を更に高めることができる。例えば図１１に図示するＡＢの作業連続図のとおり、２方向の傾斜針１１が貫通する基礎台座１ｄに２つ傾斜針１１の埋設された可動台座２０ｂをさし込むことにより垂直針１本傾斜針２本が壁にさし込まれる。同様の考え方で傾斜針を３本以上にすることも可能である。尚、本発明で使用する針は剛性のある針の使用が可能である。